【事件の表示】
　平成　７年特許願第３４３１９７号「皮膚外用剤」拒絶査定不服審判事件〔平成　９年　７月　８日出願公開、特開平　９−１７５９８３〕について、次のとおり審決する。
【結　論】
　本件審判の請求は、成り立たない。
【理　由】
１．手続の経緯
　本願は、平成７年１２月２８日の出願であって、平成１５年６月１７日付で拒絶査定がなされ、これに対し、同年７月２３日に拒絶査定に対する審判請求がなされるとともに、同年８月１１日付で手続補正がされたものである。
　
２．平成１５年８月１１日付の手続補正についての補正却下の決定
　
［結論］
　　平成１５年８月１１日付の手続補正を却下する。
　
［理由］
（１）補正後の本願発明
　本件補正は、拒絶査定の対象である平成１４年５月１３日付け手続補正書により補正された特許請求の範囲の請求項１〜４、すなわち
「【請求項１】次の成分（Ａ）及び（Ｂ）：
（Ａ）次の一般式（１）
　　
　【化１】　　　（構造式は省略する。）
　　
〔式中、Ｒ1 は水酸基で置換されていてもよい炭素数１〜４０の直鎖、分岐鎖若しくは環状の炭化水素基又は炭素数１〜５のヘテロ原子を有する炭化水素基を示し、Ｒ2、Ｒ3、Ｒ4、Ｒ5及びＲ6 は、同一又は異なって、水素原子又は水酸基で置換されていてもよい炭素数１〜２０の炭化水素基を示し、Ｘは−Ｏ−又は−ＣＯ−Ｏ−（但し、カルボニル基はＲ1と結合する）を示す〕
で表わされるアミン誘導体及びその酸付加塩から選ばれる一種又は二種以上、
（Ｂ）アクセロフトール、α−トコフェロール、β−トコフェロール、γ−トコフェロール、δ−トコフェロール、α−カロチン、β−カロチン、γ−カロチン及びこれらの誘導体、スーパーオキサイドジスムターゼ、カタラーゼ、グルタチオンパーオキシダーゼ、グルタチオンリダクターゼ、ブチルヒドロキシトルエン、ブチルヒドロキシアニソール、没食子酸オクチル、没食子酸ドデシル並びに没食子酸プロピルから選ばれる一種又は二種以上の抗酸化作用を有する剤
を含有する皮膚外用剤。
【請求項２】更に、アミノ酸を含有する請求項１記載の皮膚外用剤。
【請求項３】アミノ酸が、アスパラギン酸、アスパラギン、グリシン、グルタミン酸、グルタミン、アルギニン、システイン、アラニン、ヒスチジン、トリプトファン、リジン、セリン及びγ−アミノ酪酸から選ばれる一種又は二種以上である請求項２記載の皮膚外用剤。
【請求項４】成分（Ａ）を０.０００１〜１０重量％、成分（Ｂ）を０.００００１〜５重量％含有する請求項１〜３のいずれか１項記載の皮膚外用剤。」
を、
「【請求項１】次の成分（Ａ）及び（Ｂ）：
（Ａ）次の一般式（１）
　　
　【化１】　　　　（構造式は省略）
　　
〔式中、Ｒ1 は水酸基で置換されていてもよい炭素数１〜４０の直鎖、分岐鎖若しくは環状の炭化水素基又は炭素数１〜５のヘテロ原子を有する炭化水素基を示し、Ｒ2、Ｒ3、Ｒ4、Ｒ5及びＲ6 は、同一又は異なって、水素原子又は水酸基で置換されていてもよい炭素数１〜２０の炭化水素基を示し、Ｘは−Ｏ−又は−ＣＯ−Ｏ−（但し、カルボニル基はＲ1 と結合する）を示す〕
で表わされるアミン誘導体及びその酸付加塩から選ばれる一種又は二種以上、
（Ｂ）アクセロフトール、α−トコフェロール、β−トコフェロール、γ−トコフェロール、δ−トコフェロール、α−カロチン、β−カロチン、γ−カロチン及びこれらの誘導体、スーパーオキサイドジスムターゼ、カタラーゼ、グルタチオンパーオキシダーゼ、グルタチオンリダクターゼ、ブチルヒドロキシトルエン、ブチルヒドロキシアニソール、没食子酸オクチル、没食子酸ドデシル並びに没食子酸プロピルから選ばれる一種又は二種以上の抗酸化作用を有する剤
を含有する皮膚老化防止剤。
【請求項２】更に、アミノ酸を含有する請求項１記載の皮膚老化防止剤。
【請求項３】アミノ酸が、アスパラギン酸、アスパラギン、グリシン、グルタミン酸、グルタミン、アルギニン、システイン、アラニン、ヒスチジン、トリプトファン、リジン、セリン及びγ−アミノ酪酸から選ばれる一種又は二種以上である請求項２記載の皮膚老化防止剤。
【請求項４】成分（Ａ）を０.０００１〜１０重量％、成分（Ｂ）を０.００００１〜５重量％含有する請求項１〜３のいずれか１項記載の皮膚老化防止剤。」
に補正しようとするものである。
　　
　上記補正は、補正前の請求項１〜４の「皮膚外用剤」を、補正後の請求項１〜４の「皮膚老化防止剤」に係る各発明に補正したものであり、皮膚外用剤の一つの態様である「皮膚老化防止剤」に限定したものであるから、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第４項の規定に適合するか）について以下検討する。
　
（２）引用例
　　　
　原査定の拒絶の理由に引用された特開平６−４０８８５号公報（以下、引用例という。）には、次の事項が記載されている。
(i)　下記一般式（１）
　　
　【化１】　　（構造式は省略する。）
　　
（式中、Ｒ1 は炭素数４〜４０の直鎖、分岐鎖若しくは環状の飽和又は不飽和の炭化水素基を示す。Ｒ2、Ｒ3、Ｒ4、Ｒ5 及びＲ6は、それぞれ水素原子又は１若しくは２以上の水酸基で置換されていてもよい炭素数１〜１０の炭化水素基を示す）で表わされるアミン誘導体又はその酸付加塩からなるしわ改善剤。（請求項１）
(ii)　本発明のしわ改善剤は、……外用剤として皮膚に適用するのが好ましい。皮膚に適用する場合には、薬用皮膚外用剤、化粧料等の種々の使用形態をとることができ、例えば化粧料に配合すれば、しわの発生を抑制し、また、しわを消滅させる効果に優れた老化防止化粧料が得られる。（【００１７】）
(iii) 本発明の老化防止化粧料には、前記アミン誘導体の他に、通常の化粧料、医薬部外品、医薬品等に用いられている各種任意成分、例えば油剤、保湿剤、増粘剤、顔料、薬効成分、粉体、pH調整剤、抗酸化剤、香料、乳化安定剤等を必要に応じて適宜配合することができる。……（【００２０】）
　
（３）対比・判断
　　　
　引用例には一般式（１）で表わされるアミン誘導体（上記 (i)）を薬用皮膚外用剤、化粧料等の種々の使用形態をとる化粧料、しわの発生を抑制し、また、しわを消滅させる効果に優れた老化防止化粧料（同(ii)）、つまり、皮膚老化防止剤が記載されているものと認められる。
　本願補正発明と引用例に記載の皮膚老化防止剤とを対比する。
　後者の一般式（１）において、Ｒ1 が炭素数４〜４０の直鎖、分岐鎖若しくは環状の飽和又は不飽和の炭化水素基、Ｒ2、Ｒ3、Ｒ4、Ｒ5 及びＲ6 が、それぞれ水素原子又は１若しくは２以上の水酸基で置換されていてもよい炭素数１〜１０の炭化水素基を示す場合は、前者の一般式（１）のＸが−Ｏ−を示す化合物に明らかに包含されているから、両者は一般式（１）で表わされるアミン誘導体又はその酸付加塩を含有する皮膚老化防止剤である点で一致し、前者は（Ｂ）に列挙されている一種又は二種以上の抗酸化作用を有する剤（以下、（Ｂ）成分という。）を必須成分としているのに対して、後者は薬効成分、抗酸化剤等を適宜配合できる（上記 (iii)）として、特に（Ｂ）成分を明記していない点で相違する。
　
　しかし、（Ｂ）成分に列挙している抗酸化作用を有する剤は、ビタミンＡ（アクセロフトール）、ビタミンＥ誘導体（α−、β−、γ−又はδ−トコフェロール）、ビタミンＡ前駆体の誘導体（α−、β−又はγ−カロチン）、活性酸素を除去する酵素（スーパーオキサイドジムスターゼ）、過酸化物を除去する酵素（カタラーゼ、グルタチオンパーオキシダーゼ）、抗酸化剤（ブチルヒドロキシトルエン、ブチルヒドロキシアニソール、没食子酸オクチル、没食子酸ドデシル、没食子酸プロピル）であって化粧品に配合される薬効成分又は抗酸化剤として周知の成分、つまり、皮膚の状態を改善する成分である。
　そうすると、引用例１には、一般式（１）で表わされるアミン誘導体を含有する皮膚に適用する化粧品等に薬効成分、抗酸化剤を適宜配合することが示されている（上記 (iii)）のであるから、これら（Ｂ）成分を該アミン誘導体に配合することは当業者が容易に想到し得るものである。
　そして、（Ｂ）成分の配合は皮膚に対する改善効果を求めて行われるのであるから、補正後の明細書の表１の試験結果に表れた効果にしても当業者が期待する範囲のものであって、これを格別顕著と評価することはできない。
　したがって、本願補正発明は、引用例１に記載された発明に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する特許法第５３条第１項の規定により却下すべきものである。
　
３．本願発明について
　平成１５年８月１１日付けの手続補正は上記のとおり却下されたので、本願の請求項１に係る発明（以下、同項記載の発明を「本願発明」という。）は、平成１４年５月１３日付手続補正書の特許請求の範囲の請求項１に記載されたとおりの以下のものである。
「【請求項１】次の成分（Ａ）及び（Ｂ）：
（Ａ）次の一般式（１）
【化１】（構造式は省略する）
〔式中、Ｒ1 は水酸基で置換されていてもよい炭素数１〜４０の直鎖、分岐鎖若しくは環状の炭化水素基又は炭素数１〜５のヘテロ原子を有する炭化水素基を示し、Ｒ2、Ｒ3、Ｒ4、Ｒ5 及びＲ6 は、同一又は異なって、水素原子又は水酸基で置換されていてもよい炭素数１〜２０の炭化水素基を示し、Ｘは−Ｏ−又は−ＣＯ−Ｏ−（但し、カルボニル基はＲ1と結合する）を示す〕
で表わされるアミン誘導体及びその酸付加塩から選ばれる一種又は二種以上、
（Ｂ）アクセロフトール、α−トコフェロール、β−トコフェロール、γ−トコフェロール、δ−トコフェロール、α−カロチン、β−カロチン、γ−カロチン及びこれらの誘導体、スーパーオキサイドジスムターゼ、カタラーゼ、グルタチオンパーオキシダーゼ、グルタチオンリダクターゼ、ブチルヒドロキシトルエン、ブチルヒドロキシアニソール、没食子酸オクチル、没食子酸ドデシル並びに没食子酸プロピルから選ばれる一種又は二種以上の抗酸化作用を有する剤
を含有する皮膚外用剤。」
　
（１）引用例
　原査定の拒絶の理由に引用された引用例及びその記載事項は、前記「２．（２）」に記載したとおりである。
　
（２）対比・判断
　本願発明は、前記２．で検討した本願補正発明である「皮膚老化防止剤」を包含する「皮膚外用剤」であるから、前記「２．（３）」に記載した理由と同じ理由で、引用例に記載された発明に基づいて当業者が容易に発明をすることができたものである。
　
（３）むすび
　以上のとおり、本願発明は、引用例に記載された発明に基づいて、当業者が容易に発明をすることができたものであるから、特許法第２９条第２項の規定により特許を受けることができない。
　
　よって、結論のとおり審決する。